(57)【要約】【課題】不正解錠操作に対する耐性を向上させたサムターン装置の提供を目的とする。【解決手段】操作摘み１を本体部２の正面壁から室内側に突出させ、該操作摘み１への回転操作により錠装置３を施解錠操作するサムターン装置であって、  前記操作摘み１から錠装置３への連結部４に至る操作力伝達経路中に介装され、ロック状態において操作摘み１による連結部４の回転操作を禁止し、アンロック状態において許容するロック部５と、  前記ロック部５のロック状態を解除するロック解除部６とを有し、  かつ、前記本体部２正面壁には、付勢力に抗する押下操作を伴うロック解除操作により前記ロック解除部６を作動させる押下操作部材７が配置される。【選択図】  図２
2007063842.tif 000002
【特許請求の範囲】
【請求項１】
操作摘みを本体部の正面壁から室内側に突出させ、該操作摘みへの回転操作により錠装置を施解錠操作するサムターン装置であって、
前記操作摘みから錠装置への連結部に至る操作力伝達経路中に介装され、ロック状態において操作摘みによる連結部の回転操作を禁止し、アンロック状態において許容するロック部と、
前記ロック部のロック状態を解除するロック解除部とを有し、
かつ、前記本体部正面壁には、付勢力に抗する押下操作を伴うロック解除操作により前記ロック解除部を作動させる押下操作部材が配置されるサムターン装置。
【請求項２】
前記押下操作部材は、操作摘みを摘んだ指で押下操作可能な範囲に配置される請求項１記載のサムターン装置。
【請求項３】
前記ロック解除部は、押下操作部材に対する押し回し操作によりロック部をアンロック状態に移行させる請求項１または２記載のサムターン装置。
【請求項４】
前記ロック解除部は、連結部の施解錠状態に追随してロック、アンロック状態間を遷移する請求項１、２または３記載のサムターン装置。
【発明の詳細な説明】
【技術分野】
【０００１】
本発明は、サムターン装置に関するものである。
【背景技術】
【０００２】
室外からの不正操作を防止することのできるサムターン装置としては、特許文献１に記載のものが知られている。この従来例において、サムターン装置はロック状態においてサムターン摘みの回転を規制するストッパを備え、サムターン摘みの側壁部には、押下操作によりストッパを解除するためのボタンが突設される。
【０００３】
上記ストッパは施錠状態においてロック状態となっており、解錠操作は、サムターン摘みを指で挟むようにしてボタンを押下してストッパを解除した状態でサムターン摘みを回転させることにより行われる。
【特許文献１】特開２００５-９７９２３号公報
【発明の開示】
【発明が解決しようとする課題】
【０００４】
しかし、上記従来例は、サムターン摘みの摘み操作がストッパ解除操作を兼ねるために以下の問題がある。先ず、室外から手を室内側に挿入し、手首を曲げてサムターン摘みを摘みながらサムターン摘みを回転させる操作は不可能ではないために、室外から室内側に手を挿入して行われる不正解錠操作に対する耐性は高くない。
【０００５】
また、工具等をサムターン摘みに巻装してサムターン摘みのボタンを押下し、サムターン摘みを回転させることも困難性は高くないために、室外から工具を挿入させて行われる不正解錠操作に対する耐性も高いとはいえない。
【０００６】
本発明は、以上の欠点を解消すべくなされたものであって、不正解錠操作に対する耐性を向上させたサムターン装置の提供を目的とする。
【課題を解決するための手段】
【０００７】
本発明によれば上記目的は、
操作摘み１を本体部２の正面壁から室内側に突出させ、該操作摘み１への回転操作により錠装置３を施解錠操作するサムターン装置であって、
前記操作摘み１から錠装置３への連結部４に至る操作力伝達経路中に介装され、ロック状態において操作摘み１による連結部４の回転操作を禁止し、アンロック状態において許容するロック部５と、
前記ロック部５のロック状態を解除するロック解除部６とを有し、
かつ、前記本体部２正面壁には、付勢力に抗する押下操作を伴うロック解除操作により前記ロック解除部６を作動させる押下操作部材７が配置されるサムターン装置を提供することにより達成される。
【０００８】
サムターン装置は、操作摘み１に加えた回転操作力を錠装置３への連結部４に伝達し、錠装置３を施解錠操作するように構成され、上記操作摘み１から連結部４に至る操作力伝達経路中にロック部５が介装される。ロック部５は、ロック状態において操作摘み１を拘束して操作摘み１を動かなくする以外に、クラッチのように、操作摘み１を連結部４に対して空転させるものであってもよい。
【０００９】
ロック解除部６は、上記ロック部５のロック状態を解除して操作摘み１による錠装置３の施解錠操作を可能にするもので、ロック解除部６に対するロック解除は、本体部２正面壁に露出する押下操作部材７に対する押下操作と、他の操作を組み合わせたロック解除操作、例えば、押下操作部材７の押し回し、あるいは押下操作部材７を押下した状態での操作摘み１の回転操作により行われる。
【００１０】
これらの操作は、操作者が室内にいる場合には極めて容易な操作ではあるが、例えば、室外から手を室内側に手を挿入し、手首を曲げて操作摘み１以外の位置に配置された押下操作部材７を押下しながら、同時に押下操作部材７、あるいは操作摘み１を摘んで回転操作することは非常な困難を伴う。この事情は、室外から工具等を挿入させて不正解錠操作を行う場合も同様であり、この結果、室外からの不正解錠操作に対する耐性が飛躍的に向上する。
【発明の効果】
【００１１】
本発明によれば、ロック解除には操作摘み以外に配置された押下操作部材への付勢力に抗した押下操作と、他の操作を同時に行うことを要するために、不正解錠操作に対する耐性を向上させることができる。
【発明を実施するための最良の形態】
【００１２】
図１に示すように、サムターン装置は扉体８内に固定された錠装置３を室内側から施解錠操作するために、扉体８の室内側壁面に固定される。図示の例では、扉体８の室外側壁面には所定の解錠キーにより上記錠装置３の施解錠操作を室外側から行うためのシリンダ錠９が固定される。
【００１３】
サムターン装置は、本体部２の前面（以下、本明細書において扉体８の室内側表面に正対して手前側を「前方」、反対方を「後方」、室内の天井方向を「上方」、その反対方を「下方」とする。）から操作摘み１を突出させて形成される。本体部２の周縁には、圧縮スプリング１０ａにより後方に付勢される截頭円錐形状のサムターンローズ１０が装着される。
【００１４】
図１、２に示すように、操作摘み１は、正面視一文字形状の摘み部１ａを有し、摘み部１ａの前端部に円形キャップ形状の押下部材収容部１ｂが膨隆される。押下部材収容部１ｂを後方に向けて開放するために、摘み部１ａの中心部には切欠１ｃが設けられる。
【００１５】
一方、本体部２は、図２に示すように、ケーシング１１内に回転自在に挿入される第１サムターンシャフト１２と、第１サムターンシャフト１２内に挿入されるカムシャフト１３と、カムシャフト１３の前端部に配置される押下操作部材７とを有する。第１サムターンシャフト１２の前端部にはフランジ部１２ａが形成され、ケーシング１１の前方からフランジ部１２ａがケーシング１１に当接するまで挿入された後、止め輪１４により抜け止めされる。
【００１６】
図３に示すように、第１サムターンシャフト１２の前端には、ボルト１５を使用して操作摘み１を固定するための摘み固定片１２ｂが突設される。操作摘み１の前面側から第１サムターンシャフト１２に向けてねじ込まれるボルト１５の頭部を覆い隠すために、図２（ａ）に示すように、操作摘み１にはカバー１６が取り付けられる。
【００１７】
上記カムシャフト１３は、上記第１サムターンシャフト１２に対して空転自在に挿入され、第１サムターンシャフト１２側から打ち込まれるストッパピン１７により抜け止めされる。第１サムターンシャフト１２に対するカムシャフト１３の相対回転を許容するために、カムシャフト１３側のストッパピン１７の受容孔１３ａは周方向に長い長孔により形成される。また、カムシャフト１３と第１サムターンシャフト１２との間にはトーションスプリング１８が介装され、第１サムターンシャフト１２に対するカムシャフト１３の相対回転位置がほぼ一定となるように付勢する。
【００１８】
押下操作部材７は、図３、４に示すように、翼片７ａを両側方に張り出した形状を有しており、前端部に上記操作摘み１の押下部材収容部１ｂに嵌合可能な嵌合頭部７ｂを備える。この押下操作部材７の中心部にはパイプ挿入孔７ｃが貫通状に開設される。このパイプ挿入孔７ｃは前端部で拡径されてビス頭部収容凹部７ｄとされる。また、パイプ挿入孔７ｃは中央部から後端方に順次拡径されて、スプリング収容孔７ｅ、カムシャフト挿入孔７ｆが階段状に形成される。
【００１９】
以上のように構成される押下操作部材７は、カムシャフト挿入孔７ｆにカムシャフト１３の前端部を受容するようにしてカムシャフト１３に対して進退自在、かつ、相対回転自在に装着される。押下操作部材７の前後方向への移動を円滑にするために、押下操作部材７のパイプ挿入孔７ｃにはガイドパイプ１９が挿入される。このガイドパイプ１９は、後端がカムシャフト１３の前端面に設けられたパイプ収容凹部１３ｂに嵌合されるとともに、前端が上記カムシャフト１３にねじ込まれるビス２０の頭部により押さえつけられてぐらつきが防止される。
【００２０】
また、上記ガイドパイプ１９の周りには、圧縮コイルスプリング２１が装着される。圧縮コイルスプリング２１は、一端部が押下操作部材７のスプリング収容孔７ｅに嵌合されて該スプリング収容孔７ｅの前端壁に押さえられるとともに、他端がカムシャフト１３の前端面に当接し、押下操作部材７を前方に付勢する。付勢状態において、押下操作部材７はビス頭部収容凹部７ｄの底壁がビスの頭部に当接し、図１に示すように、翼片７ａが操作摘み１の切欠１ｃを通って中間部まで飛び出す。また、この状態で、押下操作部材７の翼片７ａは正面視において、摘み部１ａの側壁の両側に位置する。
【００２１】
さらに、図３、４に示すように、上記カムシャフト１３の前端には山形形状の連結用突条１３ｃが形成され、押下操作部材７の後端にはこの連結用突条１３ｃに対向するように連結凹溝７ｇが形成される。連結凹溝７ｇは、押下操作部材７の後端からスプリング収容孔７ｅの前端にまで至っており、連結用突条１３ｃは、上述した圧縮コイルスプリング２１を装着するためのスプリング収容凹部１３ｄにより左右に２分される（図４（ｂ）参照）。
【００２２】
押下操作部材７が上記圧縮コイルスプリング２１により付勢された状態においては、図４（ｃ）に示すように、連結用突条１３ｃはカムシャフト挿入孔７ｆ内に留まって連結凹溝７ｇに達しないために、押下操作部材７とカムシャフト１３との間の相対回転が許容される。この状態から、圧縮コイルスプリング２１の付勢力に抗して押下操作部材７を後方に押し込むと、図４（ｄ）、（ｅ）に示すように、連結用突条１３ｃは連結凹溝７ｇ内に進入し、以後、押下操作部材７とカムシャフト１３とは回転方向に連結される。
【００２３】
上記第１サムターンシャフト１２の後部にはインナーハウジング２２が配置される。インナーハウジング２２はケーシング１１内に挿入され、止めねじ２３によりケーシング１１に固定される。インナーハウジング２２の後端部には、ストッパ面２２ａが設定され、ストッパ面２２ａには後述するカムピン２４が嵌合可能なロック溝（ロック部５）が形成される。
【００２４】
上記インナーハウジング２２には、第２サムターンシャフト２５が挿入され、さらに、第２サムターンシャフト２５内には、内部にカムピース２６を収容したカム筒２７が挿入される。図３に示すように、カム筒２７の前端には連結突部２７ａが設けられ、この連結突部２７ａを第１サムターンシャフト１２の後端に開設された連結孔１２ｃに挿入することにより、カム筒２７と第１サムターンシャフト１２とは回転方向に連結される。また、図２に示すように、カム筒２７を収容する第２サムターンシャフト２５の後端には錠装置３との連結部４を構成するジョイントが固定される。
【００２５】
カムピース２６は上記第１カムシャフト１３の後方に配置され、カム筒２７内に前後方向移動自在に保持される。このカムピース２６は、カム筒２７との間に介装される圧縮スプリング２８により前方に付勢され、第１カムシャフト１３に押し付けられる。また、カムピース２６の前端面には、山形のカム突条２６ａが設けられるとともに、上記第１カムシャフト１３の後端面にはカム突条２６ａが嵌合可能なカム凹溝１３ｅが形成される。
【００２６】
したがってこの実施の形態において、図２（ｂ）に示すように、第１カムシャフト１３とカムピース２６とが、カム凹溝１３ｅとカム突条２６ａとが一致する相対回転姿勢をとる場合には、カムピース２６は圧縮スプリング２８により付勢されて前方に移動する。これに対し、図２（ａ）に示すように、カム凹溝１３ｅとカム突条２６ａとが一致しない場合には、カムピース２６は圧縮スプリング２４の付勢力に抗して後方に移動する。
【００２７】
また、上記カムピース２６にはケーシング１１の長手方向中心に対して直交方向にカムピン２４が固定される。カムピン２４は上記カム筒２７と第２サムターンシャフト２５を貫通して上記インナーハウジング２２のストッパ面２２ａに達する。図３に示すように、カム筒２７にはカムピン２４の前後方向への移動を許容するために前後方向に長い長孔２７ｂが形成され、第２サムターンシャフト２５には、後方端を頂部とする二等辺三角形状のカム孔２５ａが設けられる。
【００２８】
次に、以上のように構成されるサムターン装置の動作を説明する。先ず、錠装置３が解錠状態にある場合には、図２（ａ）に示すように、操作摘み１の摘み部１ａは正面視において縦一文字状に配置され、在室者はこの摘み部１ａの回転位置を見ることにより現在錠装置３が解錠状態であることを知ることができる。また、解錠状態においてはカムピン２４は操作摘み１の摘み部１ａと同様に、正面視において縦方向に位置する。図６（ａ）に示すように、この回転位置においては、カムピン２４はインナーハウジング２２のストッパ面２２ａに対応してロック溝５に落ち込んでいないために、カムピース２６の回転は許容される。
【００２９】
この解錠状態から操作摘み１を回転操作すると、摘み固定片１２ｂを介して操作摘み１に連結された第１サムターンシャフト１２、連結突部２７ａを介して第１サムターンシャフト１２に連結されるカム筒２７が回転する。カム筒２７の回転によって長孔２７ｂを介してカムピン２４が回転し、カムピン２４の回転はカム孔２５ａを介して第２サムターンシャフト２５に伝達され、ジョイント４を介して錠装置３が施錠状態に移行する。このようにして、操作摘み１に対する回転操作力は、第１サムターンシャフト１２、カム筒２７、第２サムターンシャフト２５により構成される操作力伝達経路を経由してジョイント４から出力される。
【００３０】
図２（ｂ）に示すように、施錠状態においては、操作摘み１の摘み部１ａは正面視において横一文字姿勢となり、錠装置３が現在施錠状態にあることを知らせる。第１サムターンシャフト１２の回転に伴って、トーションスプリング１８を介してカムシャフト１３も回転し、同時にカムピース２６もカムピン２４により回転駆動される。この結果、図５（ａ）、（ｂ）に示すように、カム凹溝１３ｅとカム突条２６ａとが正対し、加えて、この時、カムピン２４は図６（ｂ）に示すよう横姿勢となることから、カムピース２６を介して圧縮スプリング２８の前方への付勢力が付与されるカムピン２４はインナーハウジング２２のロック溝５に落ち込む。カムピン２４がロック溝５に落ち込むと、以後、カム筒２７の回転が規制されるために、第１サムターンシャフト１２を介してこのカム筒２７に連結される操作摘み１への回転操作が禁止される。この状態が、上記操作力伝達経路中に介装されたロック部５としてのロック溝により操作力付与が遮断されたロック状態に対応する。
【００３１】
また、上記解錠状態でシリンダ錠９を操作して施錠した場合には、ジョイント４を介して先ず第２サムターンシャフト２５が回転駆動される。これに伴ってカムピン２４およびカム筒２７が回転し、第１サムターンシャフト１２と操作摘み１とが回転する。第１サムターンシャフト１２の回転に伴ってカムシャフト１３が回転し、上述したと同様にカムピン２４がロック溝５に落ち込んで、ロック状態に遷移する。
【００３２】
これに対し、図２（ｂ）の施錠状態から操作摘み１を操作して解錠するには、押下操作部材７を押下してカムシャフト１３とカムピース２６からなるロック解除部６を作動させる。押下操作部材７の後方への押し下げにより、図４（ｄ）、（ｅ）に示すように、押下操作部材７の連結凹溝７ｇがカムシャフト１３の連結用突条１３ｃに嵌合する。押下状態を維持したまま押下操作部材７を回転させると、カムシャフト１３が回転し、カムシャフト１３の回転に伴ってカムシャフト１３の後端に形成されたカム凹溝１３ｅとカムピース２６のカム突条２６ａとの間に回転方向のずれが生じ、カムピース２６は徐々に後方に押しやられる。カムシャフト１３が十分に回転すると、カムピース２６はカムピン２４がロック溝５から脱離するまで移動し、カム筒２７のロックが解除される。
【００３３】
この後、操作摘み１を回転操作すると、第１サムターンシャフト１２、カム筒２７、カムピン２４、第２サムターンシャフト２５の順に操作力が伝達され、ジョイント４を介して錠装置３を解錠操作することができる。操作摘み１を解錠回転位置、すなわち、摘み部１ａが縦一文字になるまで回転させると、カムピン２４も図５（ａ）に示すように縦姿勢となり、以後、上述した解錠状態となって操作摘み１のみによる施錠操作が可能になる。
【００３４】
また、施錠状態においてシリンダ錠９を操作して解錠した場合には、先ず、第２サムターンシャフト２５が回転駆動される。施錠状態においてカムピン２４は第２サムターンシャフト２５のカム孔２５ａ内で、前端の頂部に位置しており、第２サムターンシャフト２５の回転によりカム孔２５ａの斜辺により後方に押し出され、やがてインナーハウジング２２のロック溝５から脱離する。この後、さらに第２サムターンシャフト２５が回転駆動されると、カム筒２７が回転を開始し、第１サムターンシャフト１２と操作摘み１とが解錠回転位置に移行する。
【００３５】
なお、以上においては、ロック解除部６は、押下操作部材７を押下した状態で回転させることによりロック部５のロック状態を解除し、次いで、操作摘み１を回転させて解錠操作するように構成される場合を示したが、ロック解除部６には、例えば、押下操作部材７を押下した状態で操作摘み１を回転させることによりロック解除を行わせる等、種々の変形を加えることができる。
【図面の簡単な説明】
【００３６】
【図１】本発明を示す図で、（ａ）は扉体に取り付けた状態を示す図、（ｂ）はサムターン装置の全体図、（ｃ）はサムターン装置の正面図である。
【図２】サムターンローズを取り除いたサムターン装置の断面図で、（ａ）は解錠状態を示す図、（ｂ）は施錠状態を示す図である。
【図３】サムターン装置の要部分解図である。
【図４】押下操作部材とカムシャフトの連結動作を説明する図で、（ａ）は押下操作部材を後方から見た図、（ｂ）はカムシャフトを正面から見た図、（ｃ）は押下操作部材とカムシャフトの非連結状態を示す断面図、（ｄ）は連結状態を示す断面図、（ｅ）は（ｄ）の４Ｅ-４Ｅ線断面図である。
【図５】カムシャフトとカムピースとの連結部を示す図で、（ａ）はカムシャフトを後方から見た図、（ｂ）はカムピースを正面から見た図である。
【図６】ロック部の動作を示す図で、（ａ）はロック解除状態を示す断面図、（ｂ）はロック状態の断面図である。
【符号の説明】
【００３７】
１        操作摘み
２        本体部
３        錠装置
４        連結部
５        ロック部
６        ロック解除部
７        押下操作部材
【図１】
2007063842.tif 000003
【図３】
2007063842.tif 000004
【図４】
2007063842.tif 000005
【図５】
2007063842.tif 000006
【図６】
2007063842.tif 000007
【図２】
2007063842.tif 000008